(57)【要約】      （修正有）【課題】フリーモーションでキルトを縫製する際に、生地の摩擦や段差に対し抵抗なく縫製することができるキルト押え装置を提供する。【解決手段】ミシンの押え棒に装着される押えホルダー部４０と、押えホルダー部に対して上下方向に摺動自在に支持される摺動軸５１と、摺動軸の下端に取り付けられる押え足Ｂと、摺動軸を押えホルダー部に対して下方に付勢する第１弾性部材５３と、針板表面から押え足下面までの高さを調整する押え調整部６０とを備え、押え足Ｂは、各々回転自在に配置され、各々の一部が下面から露出して生地の表面と接する複数のボール２０を備える。【選択図】図１
0003198818.tif 000002
【実用新案登録請求の範囲】
【請求項１】
ミシンの押え棒に装着される押えホルダー部と、
前記押えホルダー部に対して上下方向に摺動自在に支持される摺動軸と、
前記摺動軸の下端に取り付けられる押え足と、
前記摺動軸を前記押えホルダー部に対して下方に付勢する第１弾性部材と、
針板表面から前記押え足下面までの高さを調整する押え調整部とを備え、
前記押え足は、各々回転自在に配置され、各々の一部が下面から露出して生地の表面と接する複数のボールを備えることを特徴とするキルト押え装置。
【請求項２】
前記押え足は、前記ボールを配置する凹部が形成される押え本体と、前記凹部を閉塞する蓋体とを含み、
前記押え本体は、前記凹部中央に形成される下部針貫通孔と、前記下部針貫通孔の周りに形成され、前記ボールを収容する下部ボール穴とを有し、
前記蓋体は、前記下部針貫通孔に対応する上部針貫通孔と、前記下部ボール穴に対応する上部ボール穴とを有することを特徴とする請求項１に記載のキルト押え装置。
【請求項３】
前記押え本体は、円形のソール部と、前記ソール部の外周縁部に形成される摺動軸への取付部とを有し、
前記凹部は、前記ソール部の外周縁部を除く部分に形成されることを特徴とする請求項２に記載のキルト押え装置。
【請求項４】
前記押え本体は、前記ソール部の下面に、前記下部針貫通孔の周囲から下方に向けて膨出部が形成されることを特徴とする請求項３に記載のキルト押え装置。
【請求項５】
前記膨出部は、最下部が前記ボールの接地面より上方に形成されることを特徴とする請求項４に記載のキルト押え装置。
【請求項６】
前記押え調整部は、前記摺動軸と一体に連結され、前記押えホルダー部に対して摺動自在に支持される調整軸と、前記調整軸に螺合される調整ネジ部材と、前記調整軸に巻回され、前記調整ネジ部材により前記調整軸を前記押えホルダー部に対して上方に付勢する第２弾性部材とを含むことを特徴とする請求項１〜５のいずれかに記載のキルト押え装置。
【考案の詳細な説明】
【技術分野】
【０００１】
本考案は、ミシンの押え装置であり、特に、生地を任意の方向へ自由に動かしながらキルトを縫製する際に、生地の摩擦や段差に対して抵抗なく縫うことができるキルト押え装置に関する。
【背景技術】
【０００２】
ミシンを連続的に駆動しながら、生地を任意の方向へ自由に動かしながら縫目を形成する、いわゆるフリーモーションでキルトを縫製する時に使用する交換式キルト押え装置が従来から知られている。
例えば、図６で示すように、（ａ）および（ｂ）のクローズトゥ押え足、（ｃ）および（ｄ）のオープントゥ押え足、（ｅ）および（ｆ）の透明樹脂押え足などの交換式キルト押え足は、固定ネジにより押えユニットに対して着脱自在に固定されている。
【０００３】
上記交換式キルト押え足は、用途や使用者の使い方に応じて、３種類の押え足を交換して使用することができる。
しかしながら、上記交換式キルト押え足は、針棒の上下動に連動して間欠的に生地を押えるダーニング押えと異なり、押え足下面が常に生地と接しているため、生地が人工皮革やビニール素材の場合、押え足下面にこれらの生地が貼り付いてしまい、生地を滑らかに送ることができず、その結果、縫い不良を起こしてしまうという問題があった。
また、上記交換式キルト押え足は、針板上面から押え足下面までの高さが常に一定なため、生地の厚さが異なる部分（段差など）を縫う際に、押え足の縁が生地の段差に引っかかり、生地を送る際の抵抗になってしまうという問題があった。
【０００４】
これらの問題を解決し、押え足と縫製素材間の摩擦を軽減して縫製素材の送出作用を円滑にし、且つ刺繍等の急激な縫い方向の変化にも適する押え足を提供するために、ミシン用押え足の底部に数個のボール収容孔を設け、各孔中にボールを挿入し、ボールの球径より小さい孔を有するプレートでボールを収納孔中に収納し、各孔中でボールは円滑且つ方向自在に個々独立して回転するようにした数個のボールを半包埋したミシン用押え足が従来から知られている（特許文献１参照）。
【先行技術文献】
【特許文献】
【０００５】
【特許文献１】実公昭４４−１３８２０号公報
【考案の概要】
【考案が解決しようとする課題】
【０００６】
しかしながら、上記特許文献１記載のミシン用押え足は、縫製素材がソール底面ではなくボールに接し、ボールが方向自在に回転することで、縫製素材を抵抗なく円滑に動かすことができるものの、上記ミシン用押え足は、縫製素材である生地を前後左右に自由に動かすため、押え足は生地表面に触れる程度の高さに維持しなければならず、そのために生地に必要な押え圧をかけることができず、通常の縫製と比べると縫目の出来が劣る点で問題が残る。
【０００７】
本考案は、上記問題を解決することを課題とし、フリーモーションでキルトを縫製する際に、生地の摩擦や段差に対し抵抗なく縫製することができ、さらに、縫い上がりの品質を向上することができるキルト押え装置を提供することを目的とする。
【課題を解決するための手段】
【０００８】
本考案は、上記の課題を解決するため、キルト押え装置として、ミシンの押え棒に装着される押えホルダー部と、前記押えホルダー部に対して上下方向に摺動自在に支持される摺動軸と、前記摺動軸の下端に取り付けられる押え足と、前記摺動軸を前記押えホルダー部に対して下方に付勢する第１弾性部材と、針板表面から前記押え足下面までの高さを調整する押え調整部とを備え、前記押え足は、各々回転自在に配置され、各々の一部が下面から露出して生地の表面と接する複数のボールを備えることを特徴とする構成を採用する。
【０００９】
本考案の押え足の実施形態として、前記押え足は、前記ボールを配置する凹部が形成される押え本体と、前記凹部を閉塞する蓋体とを含み、前記押え本体は、前記凹部中央に形成される下部針貫通孔と、前記下部針貫通孔の周りに形成され、前記ボールを収容する下部ボール穴とを有し、前記蓋体は、前記下部針貫通孔に対応する上部針貫通孔と、前記下部ボール穴に対応する上部ボール穴とを有することを特徴とする構成を採用する。
【００１０】
本考案の押え本体の実施形態として、前記押え本体は、円形のソール部と、前記ソール部の外周縁部に形成される摺動軸への取付部とを有し、前記凹部は、前記ソール部の外周縁部を除く部分に形成されることを特徴とする構成を採用し、また、前記押え本体は、前記ソール部の下面に、前記下部針貫通孔の周囲から下方に向けて膨出部が形成されることを特徴とする構成を採用し、さらに、前記膨出部は、最下部が前記ボールの接地面より上方に形成されることを特徴とする構成を採用する。
【００１１】
本考案の押え調整部の実施形態として、前記押え調整部は、前記摺動軸と一体に連結され、前記押えホルダー部に対して摺動自在に支持される調整軸と、前記調整軸に螺合される調整ネジ部材と、前記調整軸に巻回され、前記調整ネジ部材により前記調整軸を前記押えホルダー部に対して上方に付勢する第２弾性部材とを含むことを特徴とする構成を採用する。
【考案の効果】
【００１２】
本考案のキルト押え装置は、ミシンの押え棒に装着される押えホルダー部と、前記押えホルダー部に対して上下方向に摺動自在に支持される摺動軸と、前記摺動軸の下端に取り付けられる押え足と、前記摺動軸を前記押えホルダー部に対して下方に付勢する第１弾性部材と、針板表面から前記押え足下面までの高さを調整する押え調整部とを備え、前記押え足は、各々回転自在に配置され、各々の一部が下面から露出して生地の表面と接する複数のボールを備え、フリーモーションでキルトを縫製する際に、生地の表面と回転自在なボールとが接することにより、生地の摩擦や段差に対し抵抗なく縫製することができ、縫い上がりの品質を向上することができる。
【００１３】
また、生地の厚さが変化する段差などの部分では、押え足の下面から一部が露出するボールが滑らかに回転することで段差を乗り上がり易くなるとともに、押え足が、押え調整ユニットの第１弾性部材の弾性力に抗して上昇し、生地の厚さ変化に常時対応することができる。
また、ソール部の下面に、下部針貫通孔の周囲から下方に向けて膨出部が形成されることにより、ミシンの針が生地から上昇する時に生地が持ち上がるのを防止して、良好な縫目を形成することができる。
【００１４】
さらに、針板表面から押え足の下面までの高さは、調整ネジ部材を回動するだけで簡単に調整できるので、生地の厚さに対応する押え足の高さ位置の設定が容易にできる。
【図面の簡単な説明】
【００１５】
【図１】（ａ）は本考案のキルト押え装置の上面図であり、（ｂ）は正面図である。
【図２】（ａ）は本考案のキルト押え装置の左側面図であり、（ｂ）は本考案の押え調整ユニットの斜視図である。
【図３】（ａ）は本考案の押え足の上面図であり、（ｂ）は（ａ）のＸ−Ｘ線断面図である。
【図４】本考案の押え足を部材ごとに分解した状態を示す斜視図である。
【図５】本考案のキルト押え装置の使用状態を示す正面図であり、（ａ）は押え足が針板と接触した状態であり、（ｂ）は押え足が生地の厚さに対応する高さ位置まで針板から上昇した状態である。
【図６】従来例の交換式キルト押え足を示す図であり、（ａ）はクローズトゥ押え足の上面図、（ｂ）はその正面図であり、（ｃ）はオープントゥ押え足の上面図、（ｄ）はその正面図であり、（ｅ）は透明樹脂押え足の上面図、（ｆ）はその正面図である。
【考案を実施するための形態】
【００１６】
次に、本考案のキルト押え装置について、実施例に示した図面を参照して説明する。
【実施例】
【００１７】
図１および図２において、Ａは、ミシンの押え棒Ｄの下端に装着してフリーモーションでキルトを縫製するためのキルト押え装置であり、押え足Ｂと、押え足Ｂを交換可能に取り付ける押え調整ユニットＣとから構成されている。
【００１８】
押え足Ｂは、図４に示すように、押え本体１０と、４個のボール２０と、蓋体３０とから構成されている。押え本体１０は、丸皿状のソール部１と、ソール部１の外周縁部２に連設される取付部１１とを備えている。
【００１９】
図３および図４に示すように、ソール部１の上面は、蓋体３０を嵌入するために、外周縁部２から凹部３が形成され、凹部３の底面４の中央に円筒形状の下部針貫通孔５が形成されている。
底面４に形成された下部針貫通孔５の周りには、４個の下部ボール穴６が逆円錐台形状に等間隔で形成されている。
図３（ｂ）に示すように、ソール部１の下面７には、下部針貫通孔５の周囲から下方に向けて膨出部８が形成され、膨出部８は、その最下部８ａがボール２０の接地面２１よりも上方に位置するように成形されている。
取付部１１は、固定ネジ１５を挿通する取付孔１２が形成される摺動軸挿入部１３と、摺動軸挿入部１３から水平に延出される回り止め腕１４とを備えている。
【００２０】
ボール２０は、形状が球体で、スチールなどの金属製に限らず、ポリアセタールやＰＥＥＫ（ポリエーテル・エーテル・ケトン）などの樹脂製のボールも使用でき、ボール２０の直径は、３〜７ｍｍ程度が好ましい。
【００２１】
蓋体３０は、図３に示すように、凹部３の深さ相当の厚さを有する円板状で、中央に、下部針貫通孔５に対応する円筒形状の上部針貫通孔３１が形成され、上部針貫通孔３１の周りに、下部ボール穴６に対応する４個の上部ボール穴３２が円錐台形状に形成されている。
押え足Ｂは、ソール部１の凹部３の底面４に形成される下部ボール穴６に４個のボール２０を配置した後、蓋体３０の上部ボール穴３２をボール２０の位置に合致させた状態で凹部３に嵌入して固定する。これにより、ボール２０は、押え本体１０と蓋体３０との間に形成される空間内に固定されない状態で収容され、ボール２０は、外力が加えられると自由に回転する。
【００２２】
押え調整ユニットＣは、図１および図２に示すように、押えホルダー部４０と、押え摺動部５０と、押え調整部６０とから構成されている。
押えホルダー部４０は、支持本体部４１の高い方の上端に高部軸支部４２が、低い方の上端に低部軸支部４３が形成されるとともに、支持本体部４１の下端に下部軸支部４４が形成されている。
【００２３】
高部軸支部４２には、摺動用貫通孔４２ａが形成され、低部軸支部４３には、摺動用貫通孔４３ａが形成され、下部軸支部４４には、摺動用貫通孔４４ａおよび４４ｂが形成されている。
支持本体部４１の左端には、押え棒Ｄに装着する装着部４５が形成され、さらに、高部軸支部４２と下部軸支部４４との間にスリット状のガイド長孔４６が形成されている。
支持本体部４１、高部軸支部４２、低部軸支部４３、下部軸支部４４および装着部４５は、金属材から一体に成形されている。
【００２４】
押え摺動部５０は、押えホルダー部４０の高部軸支部４２に形成される摺動用貫通孔４２ａと下部軸支部４４に形成される摺動用貫通孔４４ａとに挿通され、押えホルダー部４０に対して上下方向に摺動自在に支持される摺動軸５１と、摺動軸５１の軸方向と直交する方向に植設されるガイドピン５２と、摺動軸５１の高部軸支部４２とガイドピン５２との間に巻回される第１弾性部材５３とから構成されている。
前記ガイドピン５２は、支持本体部４１に形成されるガイド長孔４６に遊挿され、摺動軸５１が押えホルダー部４０に対して回転しないようにしている。
【００２５】
第１弾性部材５３として、本実施例では、コイルスプリングが使用され、摺動軸５１は、第１弾性部材５３により、押えホルダー部４０に対して常に下方に付勢されている。
摺動軸５１の下端には、押え足Ｂを取り付ける固定ネジ１５と螺合する取付けネジ孔５４が形成されている。
【００２６】
押え調整部６０は、図５に示すように、針板Ｅの表面から押え足Ｂの下面までの高さを調整する機能を有し、低部軸支部４３の摺動用貫通孔４３ａと下部軸支部４４の摺動用貫通孔４４ｂとに挿通され、押えホルダー部４０に対して上下方向に摺動自在に支持される調整軸６１と、調整軸６１の上半部に形成される雄ネジ部６１ａと螺合する調整ネジ部材６２と、摺動軸５１の上端部５１ａと調整軸６１の上端ネジ部６１ｂとを連結する連結板６３と、調整軸６１の調整ネジ部材６２と低部軸支部４３との間に巻回される第２弾性部材６４とから構成されている。
前記連結板６３によって、調整軸６１は、摺動軸５１と一体で押えホルダー部４０に対して上下方向に摺動可能になっている。
なお、第２弾性部材６４として、本実施例では、内側に高弾性率圧縮バネ６４ａを入れ、周囲を低弾性率圧縮バネ６４ｂで巻回したものを使用している。
【００２７】
つぎに、本実施例の使用態様と作用効果について説明する。
フリーモーションでキルトを縫製する際には、図２（ｂ）に示すように、本実施例の押え調整ユニットＣをミシンの押え棒Ｄに装着するために、装着部４５を押え棒Ｄ下端の所定位置に、装着ネジ４７によって固定する。
つぎに、押え足Ｂを押え調整ユニットＣに取り付けるために、取付部１１の摺動軸挿入部１３および回り止め腕１４をそれぞれ摺動軸５１および調整軸６１に挿入し、固定ネジ１５を取付孔１２を介して取付けネジ孔５４に螺合して固定する。
なお、本実施例では、押え足Ｂを押え調整ユニットＣに取付ける際に固定ネジ１５により固定するようにしているが、ワンタッチ式のクリップなど、押え足Ｂを固定するための手段は問わない。
【００２８】
押え棒Ｄへのキルト押え装置Ａの装着が完了したら、図５に示すように、調整ネジ部材６２を低部軸支部４３側に向けて回転させて、調整軸６１を押えホルダー部４０に対して上方へ摺動させる。
これと同時に、摺動軸５１も押えホルダー部４０に対して上方に摺動することにより、押え足Ｂを針板Ｅ上面から生地Ｆの厚さｈに応じた高さまで上昇させ、高さ調整をする。
【００２９】
以上の準備作業が完了した後、送り歯（図示せず）を針板Ｅから下げた状態（ドロップフィード）に設定し、上布と下布との間に中綿が挟まれる生地Ｆを押え足Ｂと針板Ｅとの間に挿入し、縫製を開始する位置まで生地Ｆを移動する。
生地Ｆを縫製開始位置まで移動させた後、ミシンを始動して、生地Ｆを手動で所望の方向に移動させながらフリーモーションでキルトを縫製する。
キルトを縫製する際に、ソール部１の下面７には、下部針貫通孔５の周囲から下方に向けて膨出部８が形成されているので、ミシンの針（図示せず）が生地Ｆから上昇する時に生地Ｆが持ち上がるのを防止して、良好な縫目を形成することができる。
さらに、膨出部８は、最下部８ａがボール２０の接地面２１より上方に位置するように形成されているので、ミシンの針が生地Ｆから上昇する時以外に、膨出部８の最下部８ａは、生地Ｆと接触することがなく、生地Ｆをフリーモーションで移動する際に、ボール２０との円滑な接触を妨げるおそれがない。
【００３０】
以上のように、本実施例のキルト押え装置Ａは、フリーモーションでキルトを縫製する際に、生地Ｆが人工皮革やビニール素材であっても、押え足Ｂの下面７から各々の一部が露出する４個のボール２０が生地Ｆと接して任意の方向に滑らかに転がることによって、押え足Ｂの下面７に生地Ｆが貼り付くのを防止でき、生地Ｆを滑らかに送ることができる。
また、生地Ｆの厚さｈが厚くなる段差などの部分では、ボール２０が回転することにより、段差を乗り上がり易くなるとともに、押え足Ｂが、押え調整ユニットＣの第１弾性部材５３の弾性力に抗して上昇し、生地Ｆの厚さｈの変化に常時対応することができる。
さらに、針板Ｅ表面から押え足Ｂの下面７までの高さは、調整ネジ部材６２を回動するだけで簡単に調整できるので、生地Ｆの厚さｈに対応する押え足Ｂの高さ位置の設定が容易にできる。
【産業上の利用可能性】
【００３１】
本考案のキルト押え装置は、フリーモーションでキルトを縫製する際に、生地の摩擦や段差に対し抵抗なく縫製することができるので、縫い上がりの品質を向上することができ、種々のミシンに広く適用して有利なものである。
【符号の説明】
【００３２】
Ａ            キルト押え装置
Ｂ            押え足
Ｃ            押え調整ユニット
Ｄ            押え棒
Ｅ            針板
Ｆ            生地
ｈ            厚さ
１            ソール部
２            外周縁部
３            凹部
４            底面
５            下部針貫通孔
６            下部ボール穴
７            下面
８            膨出部
８ａ          最下部
１０            押え本体
１１            取付部
１２            取付孔
１３            摺動軸挿入部
１４            回り止め腕
１５            固定ネジ
２０            ボール
２１            接地面
３０            蓋体
３１            上部針貫通孔
３２            上部ボール穴
４０            押えホルダー部
４１            支持本体部
４２            高部軸支部
４２ａ、４３ａ，４４ａ、４４ｂ  摺動用貫通孔
４３            低部軸支部
４４            下部軸支部
４５            装着部
４６            ガイド長孔
４７            装着ネジ
５０            押え摺動部
５１            摺動軸
５１ａ          上端部
５２            ガイドピン
５３            第１弾性部材
５４            取付けネジ孔
６０            押え調整部
６１            調整軸
６１ａ          雄ネジ部
６１ｂ          上端ネジ部
６２            調整ネジ部材
６３            連結板
６４            第２弾性部材
６４ａ          高弾性率圧縮バネ
６４ｂ          低弾性率圧縮バネ
【図１】
0003198818.tif 000003
【図２】
0003198818.tif 000004
【図３】
0003198818.tif 000005
【図４】
0003198818.tif 000006
【図５】
0003198818.tif 000007
【図６】
0003198818.tif 000008